(57)【要約】      （修正有）【課題】電子タバコを直接パイロット孔の中に入れて充電することが可能で、片手で操作でき、運転の安全性を向上させた電子タバコ用車載充電ソケットを提供する。【解決手段】電子タバコ用車載充電ソケットは、車載充電ソケット本体を含み、車載充電ソケット本体の底部には電子タバコ７をシガーライターに挿すためのプラグ２が設けられ、車載充電ソケット本体の頂部にはＵＳＢインターフェース３が設けられ、車載充電ソケット本体の中には電子タバコを充電するためのパイロット孔４が設けられ、パイロット孔の底部にはその軸方向に沿って弾性的に伸縮可能な電子タバコ用導電性構造が設けられ、パイロット孔には上向きの開口が備えられ、開口にはロッキング装置５が設けられる。【選択図】図２
0003212359.tif 000002
【実用新案登録請求の範囲】
【請求項１】
車載充電ソケット本体（１）を含み、前記車載充電ソケット本体（１）の底部には電子タバコをシガーライターに挿すためのプラグ（２）が設けられ、前記車載充電ソケット本体（１）の頂部にはUSBインターフェース（３）が設けられ、前記車載充電ソケット本体（１）の中には電子タバコを充電するためのパイロット孔（４）が設けられ、前記パイロット孔（４）の底部にはその軸方向に沿って弾性的に伸縮可能な電子タバコ用導電性構造（４１）が設けられ、前記パイロット孔には上向きの開口（４２）が備えられ、前記開口（４２）にはロッキング装置（５）が設けられることを特徴とする電子タバコ用車載充電ソケット。
【請求項２】
前記パイロット孔（４）の縦方向軸線（６）はプラグ（２）の縦方向軸線（６）から外れて且つプラグ（２）の縦方向軸線（６）と並行することを特徴とする請求項１に記載の電子タバコ用車載充電ソケット。
【請求項３】
前記車載充電ソケット本体（１）はケース（１１）、カバー（１２）、PCBプレート（１３）、第一電極（１４）、第二電極（１５）と電極コネクタ（１６）を含み、前記カバー（１２）はケース（１１）に取り付けられてケース（１１）と囲い込んで収納スペースを形成し、前記PCBプレート（１３）は収納スペースに設けられ、前記USBインターフェース（３）、第一電極（１４）、第二電極（１５）と電極コネクタ（１６）はそれぞれPCBプレート（１３）と電気的に接続され、前記USBインターフェース（３）はカバー（１２）の表面から露出され、前記第一電極（１４）はプラグ（２）を通り抜け、前記第二電極（１５）はプラグ（２）の両側面から露出されることを特徴とする請求項１に記載の電子タバコ用車載充電ソケット。
【請求項４】
前記開口（４２）は反面挿しを防止できるソケットであることを特徴とする請求項１に記載の電子タバコ用車載充電ソケット。
【請求項５】
前記ロッキング装置（５）にはガイド斜面（５１）が設けられることを特徴とする請求項１に記載の電子タバコ用車載充電ソケット。
【請求項６】
前記車載充電ソケット本体（１）の頂部にはまたUSB指示ランプと電子タバコ用充電表示ランプが設けられ、前記USB指示ランプと電子タバコ用充電表示ランプはそれぞれPCBプレート（１３）と電気的に接続されることを特徴とする請求項１に記載の電子タバコ用車載充電ソケット。
【請求項７】
前記ロッキング装置（５）は電子タバコ（７）を固定する作用を果たし、それにより電子タバコ（７）と充電用導電性構造（４１）との十分な接触を保持し、充電を持続することを特徴とする請求項１に記載の電子タバコ用車載充電ソケット。
【考案の詳細な説明】
【技術分野】
【０００１】
本考案は電子タバコの充電技術分野に関し、具体的には電子タバコ用車載充電ソケットである。
【背景技術】
【０００２】
科学技術の発展と共い、様々なポータブル電子機器（例えば携帯電話、ナビゲーションシステムなど）はより多く人々の日常生活に応用され、これらの電子機器はどんな場面でも便利に充電できることを必要とする。それで運転中に各種類の電子機器を充電しやすいためには、車載充電器が必要となっている。
【考案の概要】
【考案が解決しようとする課題】
【０００３】
しかし、今までの車両ではデータ転送ケーブルしかによって携帯やほかの有線充電装置を充電できないため、電子タバコを充電することはできなく、車載用品市場で入手可能なポータブル充電ボックスも、両手で操作しなければならなくより長い時間をかかって電子タバコに対する充電を完成した後喫煙でき、充電ボックスも電子カセッテも配置しにくい故に、操作時間が長くなり、運転手の集中度に影響する。
【０００４】
本考案の目的は電子タバコ用車載充電ソケットを提供するで、上記背景技術に提出した問題を解決することである。
【課題を解決するための手段】
【０００５】
上記目的を実現するために、本考案は下記技術的解決手段を提供する：電子タバコ用車載充電ソケットは、車載充電ソケット本体を含み、前記車載充電ソケット本体の底部には電子タバコをシガーライターに挿すためのプラグが設けられ、前記車載充電ソケット本体の頂部にはUSBインターフェースが設けられ、前記車載充電ソケット本体の中には電子タバコを充電するためのパイロット孔が設けられ、前記パイロット孔の底部にはその軸方向に沿って弾性的に伸縮可能な電子タバコ用導電性構造が設けられ、前記パイロット孔には上向きの開口が備えられ、前記開口にはロッキング装置が設けられる。
【０００６】
好ましくは、前記パイロット孔の縦方向軸線はプラグの縦方向軸線から外れて且つプラグの縦方向軸線と並行する。
【０００７】
好ましくは、前記車載充電ソケット本体はケース、カバー、PCBプレート、第一電極、第二電極と電極コネクタを含み、前記カバーはケースに取り付けられてケースと囲い込んで収納スペースを形成し、前記PCBプレートは収納スペースに設けられ、前記USBインターフェース、第一電極、第二電極と電極コネクタはそれぞれPCBプレートと電気的に接続され、前記USBインターフェースはカバーの表面から露出され、前記第一電極はプラグを通り抜け、前記第二電極はプラグの両側面から露出される。
【０００８】
好ましくは、前記開口は反面挿しを防止できるソケット。
【０００９】
好ましくは、前記ロッキング装置にはガイド斜面が設けられる。
【００１０】
好ましくは、前記車載充電ソケット本体の頂部にはまたUSB指示ランプと電子タバコ用充電表示ランプが設けられ、前記USB指示ランプと電子タバコ用充電表示ランプはそれぞれPCBプレートと電気的に接続される。
【００１１】
好ましくは、前記ロッキング装置は電子タバコを固定する作用を果たし、それにより電子タバコと充電用導電性構造との十分な接触を保持し、充電を持続する。
【考案の効果】
【００１２】
従来技術と比較すると、本考案は、従来の車載充電ソケットに基づいて更に研究開発し、パイロット孔の設計により、電子タバコを直接パイロット孔に入れて充電することが可能になり、反面挿しを防止できるソケットが電子タバコを反面に挿すことを効果的に防止できる原因で、操作の便利性を大幅に向上させ、電子タバコに対する保護にも有利であり、電子タバコをパイロット孔に挿した後、リングゴムと電子タバコ間の摩擦力が電子タバコの充電電極が電子タバコに対する反発力より大きくなるため、電子タバコを挿した後効果的に充電することができ、運転中に電子タバコの揺れを防止できる他、片手で操作可能であるため、運転の安全性を向上させるという有益効果を有する。
【図面の簡単な説明】
【００１３】
【図１】本考案の構造図
【図２】本考案の分解立体図
【図３】本考案の断面図
【図４】本考案のカバーのライトビュー構造図
【図５】本考案の実施例２のロッキング装置を示す構造図
【図６】本考案の実施例３のロッキング装置を示す構造図
【図７】本考案の実施例４のロッキング装置を示す構造図
【考案を実施するための形態】
【００１４】
下記は本考案の実施例における図面を結合して、本考案の技術的解決手段に対してはっきりで、完全的に説明するが、明らかには、前記実施例がただ本考案に関する一部分の実施例で、全部ではない。本考案の実施例に基づき、本分野の普通な技術者は創造的労働をしない前提で得るあらゆるほかの実施例は、全部本考案に保護される範囲に属する。
【００１５】
図１−４を参照してください、本考案は電子タバコ用車載充電ソケットという技術的解決手段を提供し、それは車載充電ソケット本体１を含み、前記車載充電ソケット本体１の底部には電子タバコをシガーライターに挿すためのプラグ２が設けられ、前記車載充電ソケット本体１の頂部にはUSBインターフェース３が設けられ、前記車載充電ソケット本体１はケース１１、カバー１２、PCBプレート１３、第一電極１４、第二電極１５と電極コネクタ１６を含み、前記カバー１２はケース１１に取り付けられてケース１１と囲い込んで収納スペースを形成し、前記PCBプレート１３は収納スペースに設けられ、前記USBインターフェース３、第一電極１４、第二電極１５と電極コネクタ１６はそれぞれPCBプレート１３と電気的に接続され、前記USBインターフェース３はカバー１２の表面から露出され、前記第一電極１４はプラグ２を通り抜け、前記第二電極１５はプラグ２の両側面から露出され、前記車載充電ソケット本体１の中には電子タバコ７を充電するためのパイロット孔４が設けられ、前記パイロット孔４の底部にはその軸方向に沿って弾性的に伸縮可能な電子タバコ用導電性構造４１が設けられ、前記パイロット孔４には上向きの開口４２が備えられ、前記開口４２は反面挿しを防止できるソケットである。反面挿しを防止できるソケットは電子タバコ７を反面に挿すことを効果的に防止できる原因で、操作の便利性を大幅に向上させ、電子タバコ７に対する保護にも有利であり、前記開口４２にはロッキング装置５が設けられ、電子タバコ７をパイロット孔４に挿す際に、ロッキング装置５と電子タバコ７間の摩擦力が電子タバコ用導電性構造４１が電子タバコ７に対する反発力より大きくなるため、二つの電子タバコ用導電性構造４１はそれぞれコネクタに設けられてそれに弾性的に当てることで電子タバコ７の充電を実現する。
【実施例１】
【００１６】
図２を結合して、本考案は電子タバコ用車載充電ソケットを提供し、ロッキング装置はリングゴム、段階型ロッキンググリップ、伸縮型パイロット曲面板とパイロット爪とすることはでき、本実施例はリングゴムを例とし、リングゴムの一端はアトマイザーの外面に貼り付け、リングゴムの他端はケースの後カバーがアトマイザーに対する開口の内部側壁に貼り付け、リングゴムはゴムと電子タバコが接触して使用する時に生成する摩擦力を利用し、充電中に電子タバコとアトマイザーとの安定な接触を増加できる。
【実施例２】
【００１７】
図５を結合して、本考案は段階型ロッキンググリップを例とし、段階型ロッキンググリップの末端の端面はアトマイザーの内表面と接続され、段階型ロッキンググリップは電子タバコの外形にマッチでき、材料にある弾性を用いて、電子タバコを位置決める。
【実施例３】
【００１８】
図６を結合して、本考案は伸縮型パイロット曲面板を例とし、伸縮型パイロット曲面板はリターンスプリングを含み、スプリングの一端の端面はアトマイザーと接続され、且つスプリングの他端の端面は曲面板と接続され、スプリング自身の弾性を用いて、電子タバコを挿す際に、曲面板を電子タバコの外壁と緊密に貼り付けらせ、電子タバコを位置決める。
【実施例４】
【００１９】
図7を結合して、本考案はパイロット爪を例とし、パイロット爪は爪部を含み、爪部の末端はアトマイザーの内部側壁に回転可能に接続され、且つこの接続はヒンジによる弾性的な接続であるため、それが生成する弾力を用いて、電子タバコを位置決める。
【産業上の利用可能性】
【００２０】
具体的には、前記パイロット孔４の縦方向軸線６はプラグ２の縦方向軸線６から外れて且つプラグ２の縦方向軸線６と並行する。従来の車内用シガーライターはシフトレバーに近寄るので、パイロット孔４がプラグ２の縦方向軸線６と重なる場合は、電子タバコ７をパイロット孔４に挿して充電する時に、電子タバコ７はシフトレバーの操作を邪魔することが発生し、もしパイロット孔４がプラグ２の縦方向軸線６と外れば、パイロット孔４はプラグ２を巻いて回転して電子タバコ７を調節でき、それによりシフトレバーに与える影響を避ける。
【００２１】
具体的には、前記車載充電ソケット本体はケース、カバー、PCBプレート、第一電極、第二電極と電極コネクタを含み、前記カバーはケースに取り付けられてケースと囲い込んで収納スペースを形成し、前記PCBプレートは収納スペースに設けられ、前記USBインターフェース、第一電極、第二電極と電極コネクタはそれぞれPCBプレートと電気的に接続され、前記USBインターフェースはカバーの表面から露出され、前記第一電極はプラグを通り抜け、前記第二電極はプラグの両側面から露出され、電子タバコを挿して充電する時には、二つの電子タバコ用導電性構造がそれぞれコネクタに設けられてそれに弾性的に当てることで電子タバコの充電を実現する。
【００２２】
具体的には、前記開口は反面挿しを防止できるソケットであり、それは電子タバコ７を反面に挿すことを効果的に防止できる原因で、操作の便利性を大幅に向上させ、電子タバコ７に対する保護にも有利である。
【００２３】
具体的には、前記ロッキング装置５にはガイド斜面５１が設けられ、ガイド斜面５１は電子タバコ７が挿した後揺れで弾き出されることを効果的に防止できる。
【００２４】
具体的には、前記車載充電ソケット本体１の頂部にまたUSB指示ランプと電子タバコ７用充電表示ランプが設けられ、前記USB指示ランプと電子タバコ７用充電表示ランプはそれぞれPCBプレートと電気的に接続される。
【００２５】
具体的には、前記ロッキング装置５は電子タバコ７を固定する作用を果たし、それにより電子タバコ７と充電用導電性構造４１との十分な接触を保持し、充電を持続する。
【００２６】
本考案の実施例を提出して説明したが、本分野における普通の技術者にとって、本考案の原理と精神から脱離しない状況でこれらの実施例に多種類の変化、修正、切替と変形をしてもよく、本考案の範囲は添付される特許請求の範囲及びその同等物に限定される。
【符号の説明】
【００２７】
１    車載充電ソケット本体
２    プラグ
３    USBインターフェース
４    パイロット孔
５    ロッキング装置
６    縦方向軸線
７    電子タバコ
１１  ケース
１２  カバー
１３  PCBプレート
１４  第一電極
１５  第二電極
１６  電極コネクタ
４１  電子タバコ用導電性構造
４２  開口
５１  ガイド斜面
【図１】
0003212359.tif 000003
【図２】
0003212359.tif 000004
【図３】
0003212359.tif 000005
【図４】
0003212359.tif 000006
【図５】
0003212359.tif 000007
【図６】
0003212359.tif 000008
【図７】
0003212359.tif 000009